(57)【要約】【課題】シャッタユニット等から発生する塵埃を抑止する構成を簡単な構成で実現し機器の小型化に寄与し得る撮像装置を提供する。【解決手段】撮像ユニット１４と、撮像ユニットの被写体側前面に位置するシャッタユニット１３と、シャッタユニットの被写体側に配置されていて当該シャッタユニットへ塵埃が侵入するのを防止する第１の光学部材１８と、シャッタユニットの撮像ユニット側に配置されていて当該シャッタユニットへ塵埃が侵入するのを防止する第２の光学部材１７ｂと、第１の光学部材又は第２の光学部材の少なくとも一方に配置されていて被写体光が透過する領域以外の位置で第１の光学部材又は第２の光学部材を振動させる加振用振動部材１７ａとを具備する。【選択図】図１
2012050016.tif 000002
【特許請求の範囲】
【請求項１】
撮像ユニットと、
上記撮像ユニットの被写体側前面に位置するシャッタユニットと、
上記シャッタユニットの被写体側に配置されていて、当該シャッタユニットへ塵埃が侵入するのを防止する第１の光学部材と、
上記シャッタユニットの上記撮像ユニット側に配置されていて、当該シャッタユニットへ塵埃が侵入するのを防止する第２の光学部材と、
上記第１の光学部材又は上記第２の光学部材の少なくとも一方に配置されていて、被写体光が透過する領域以外の位置で上記第１の光学部材又は上記第２の光学部材を振動させる加振用振動部材と、
を具備したことを特徴とする撮像装置。
【請求項２】
上記加振用振動部材が上記第２の光学部材にのみ配置されている場合において、当該第２の光学部材は、当該加振用振動部材が配置された位置よりも光軸側で上記シャッタユニットに配置された第１の弾性部材と、当該第１の弾性部材に対向する位置で上記撮像ユニットに配置された第２の弾性部材と、によって支持されていることを特徴とする請求項１に記載の撮像装置。
【請求項３】
上記撮像ユニットを上記シャッタユニットに押圧固定することにより、上記第２の弾性部材を上記第１の弾性部材に押圧固定することを特徴とする請求項２に記載の撮像装置。
【請求項４】
上記加振用振動部材が上記第１の光学部材にのみ配置されている場合において、当該第１の光学部材は、第３の弾性部材を介して上記シャッタユニットに押圧固定されることを特徴とする請求項１に記載の撮像装置。
【請求項５】
上記加振用振動部材が上記第１及び第２の光学部材に配置されている場合において、
当該第１の光学部材は、第３の弾性部材を介して上記シャッタユニットに押圧固定され、当該加振用振動部材が配置された位置よりも光軸側で上記シャッタユニットに配置された第１の弾性部材と、当該第１の弾性部材に対向する位置で上記撮像ユニットに配置された第２の弾性部材と、によって支持されていることを特徴とする請求項１に記載の撮像装置。
【請求項６】
上記撮像ユニットを上記シャッタユニットに押圧固定することにより、上記第２の弾性部材を上記第１の弾性部材に押圧固定することを特徴とする請求項５に記載の撮像装置。
【請求項７】
上記シャッタユニットは、複数のシャッタ羽根と、当該複数のシャッタ羽根から生じる塵埃を粘着するための粘着部材と、を有することを特徴とする請求項１に記載の撮像装置。
【発明の詳細な説明】
【技術分野】
【０００１】
この発明は、撮像装置、詳しくは防塵機能を有し撮影レンズ交換式の撮像装置に関するものである。
【背景技術】
【０００２】
従来、撮影光学系により結像された光学像を固体撮像素子等の光電変換素子等（以下、単に撮像素子等という）によって順次画像信号に変換し、これにより得られた画像信号を所定の形態の画像データとして記録媒体に記録し得ると共に、この記録媒体に記録された画像データを画像として再生表示する液晶表示装置（ＬＣＤ）等の画像表示装置を備えて構成されたデジタルカメラやビデオカメラ等の撮像装置（以下、これらを総称してカメラという）が一般に実用化され、広く普及している。
【０００３】
また、この種のカメラにおいては、撮影光学系を具備する撮影レンズユニットをカメラ本体に対して着脱自在に構成し、必要に応じて所望の種類（画角等）の撮影光学系を持つ撮影レンズユニットに交換して使用し得るように構成したいわゆる撮影レンズ交換式のカメラが古くから実用化されている。
【０００４】
このような形態の撮影レンズ交換式カメラは、カメラ本体から撮影レンズユニットを取り外した状態では、例えば撮像素子等の受光面若しくは撮像素子等の前面側に設けられる光学素子等の表面に微小な塵埃等が付着する可能性が高い。これらの塵埃等が上記受光面若しくは光学素子表面に付着した状態のまま、そのカメラの使用を続けると、例えば撮影レンズを通してカメラ本体内に入射した光が、上記塵埃等によって遮られる可能性が生じ得る。この場合、その塵埃等が付着している箇所に対応する撮像素子等の画素部は正常に入射光を受光できないことになる。したがってこれにより正しい画像信号の出力を行なうことができずに、黒点若しくはシミのような点等を形成し、画質を劣化させてしまうという問題点がある。
【０００５】
そこで、従来のカメラにおいては、撮像素子等の受光面若しくは撮像素子等の前面側に設けられる光学素子等の表面に塵埃等が付着するのを抑止するためのさまざまな工夫が、例えば特開２００２−０９０８４２号公報，特開２００２−２０４３７９号公報，特開２００３−３４８３９７号公報等によって開示され、また実用化されている。
【０００６】
上記特開２００２−０９０８４２号公報に開示されているカメラは、シャッタ幕よりも前面側（レンズ側，被写体寄りの部位）に保護ガラスを配置し、該保護ガラスと撮像素子等の前面との間の空間を密封構造とすることによって、撮像素子等の受光面若しくは撮像素子前面側光学素子等に塵埃等が付着するのを抑止すると共に、保護ガラスの外面に付着した塵埃等は容易に清掃し得る配置とするというものである。
【０００７】
また、上記特開２００２−２０４３７９号公報，特開２００３−３４８３９７号公報等に開示されているカメラは、撮像素子の前面に光学素子を配置して、該光学素子と撮像素子前面との間の空間を密封構造にすると共に、上記光学素子を加振部材を用いて振動させる加振装置を備えることによって、該光学素子の表面に付着した塵埃等を積極的に払い落とすというものである。  
【先行技術文献】
【特許文献】
【０００８】
【特許文献１】特開２００２−０９０８４２号公報
【特許文献２】特開２００２−２０４３７９号公報
【特許文献３】特開２００３−３４８３９７号公報
【発明の概要】
【発明が解決しようとする課題】
【０００９】
ところが、上記特開２００２−０９０８４２号公報によって開示されている手段によれば、保護ガラスの表面に極めて微少な塵埃等、例えば数μm程度の大きさの塵埃等が付着していたとしても、それを使用者が目視等により識別するのは極めて困難である。しかしながら、たとえ数μｍ程度の極小サイズの塵埃等であっても撮像素子等によって取得される画像に悪影響を及ぼす可能性がある。
【００１０】
また、当該公報に記載の構成は、保護ガラスを設置するのみの構成であるので、カメラ本体に撮影レンズユニットを装着した状態では、保護ガラスの表面に塵埃等が付着しているかどうかの確認を行うことができないという問題点がある。なお、保護ガラスの表面を確認することができるのは、撮影レンズユニットをカメラ本体から取り外した状態にした時であるが、この状態が、カメラ内部へ塵埃等が最も侵入しやすい状態であるといえる。
【００１１】
さらに、当該公報に記載の構成では、保護ガラスをシャッタ幕よりも前面側に配置するようにしている。ここで、シャッタ部材（幕）が機械的に駆動させる方式の機械式シャッタユニットが採用されている場合には、例えばシャッタ羽根の摺動動作によってシャッタ羽根又はシャッタ台板表面等が磨耗することによって塵埃等が生じる可能性がある。したがって、当該シャッタユニットから発生した塵埃等は、密封空間内において浮遊し、保護ガラスの内側面に付着する可能性もある。しかしながら、当該手段による構成では、外部から侵入する塵埃等について考慮するのみで、これらの内部で発生する塵埃等については考慮していない。
【００１２】
また、上記特開２００２−２０４３７９号公報，特開２００３−３４８３９７号公報等によって開示されている手段によれば、機械式シャッタユニットは密封空間の外部に配設される構成であるので、例えばカメラの外部からカメラ本体内部へと進入した塵埃等がシャッタ羽根の隙間等に入り込む等によって、シャッタユニットの動作を阻害してしまう可能性があるという問題点がある。
【００１３】
また、当該公報等に記載の構成では、カメラ本体から撮影レンズユニットを取り外した状態としたとき、カメラ本体内のシャッタ羽根は、マウント部から容易に手の届く位置に配置される構成となる。したがって、使用者が誤ってシャッタ羽根を傷付けてカメラの機能を損ねてしまう可能性があるという問題点がある。
【００１４】
さらに、当該公報に記載の構成において、機械式シャッタユニットを採用した場合、シャッタユニットから生じた塵埃等が、カメラ内部に舞い散って浮遊し、カメラ内部の各種の構成ユニットに付着してしまう可能性がある。この場合には、例えばファインダースクリーンに付着して観察像の視野を阻害したり、測距装置の光学系に付着して測距機能の誤検出を生じたり、駆動機構に入り込んでモータやギヤ列等の破損の原因になる等、塵埃等が他の構成ユニットに悪影響を及ぼす可能性があるという問題点がある。
【００１５】
一方、この種の撮像装置は、常に小型化及び軽量化の要求が強く求められている。したがって、外部から侵入したりシャッタユニット等から発生する塵埃等を抑止し除去するための機構についても、機構の簡略化及び小型化の要求がある。
【００１６】
本発明は、上述した点に鑑みてなされたものであって、その目的とするところは、機械式シャッタユニット等から発生する塵埃等が装置内部に浮遊し他の構成ユニットに付着してしまうことを抑止する構成を、簡単な構成で実現しつつ、機器の小型化に寄与し得る撮像装置を提供することである。
【課題を解決するための手段】
【００１７】
上記目的を達成するために、本発明による撮像装置は、撮像ユニットと、上記撮像ユニットの被写体側前面に位置するシャッタユニットと、上記シャッタユニットの被写体側に配置されていて当該シャッタユニットへ塵埃が侵入するのを防止する第１の光学部材と、上記シャッタユニットの上記撮像ユニット側に配置されていて当該シャッタユニットへ塵埃が侵入するのを防止する第２の光学部材と、上記第１の光学部材又は上記第２の光学部材の少なくとも一方に配置されていて被写体光が透過する領域以外の位置で上記第１の光学部材又は上記第２の光学部材を振動させる加振用振動部材と、を具備したことを特徴とする。
【発明の効果】
【００１８】
本発明によれば、機械式シャッタユニット等から発生する塵埃等が装置内部に浮遊し他の構成ユニットに付着してしまうことを抑止する構成を、簡単な構成で実現しつつ、機器の小型化に寄与し得る撮像装置を提供することができる。
【図面の簡単な説明】
【００１９】
【図１】本発明の第１の実施形態の撮像装置において、本発明に関わる主要構成を示す概略構成図である
【図２】図１の撮像装置において、本発明に関る主要構成ユニットを取り出して前面側から見た分解斜視図である
【図３】図１の撮像装置において、本発明に関る主要構成ユニットを取り出して背面側から見た分解斜視図である
【図４】図１の撮像装置において、本発明に関る主要構成ユニットを取り出して前面側から見た平面図である
【図５】図４の［５］−［５］線に沿う断面図である
【図６】図４の［６］−［６］線に沿う断面図である
【図７】本発明の第２の実施形態の撮像装置において、本発明に関わる主要構成を示す概略構成図である
【図８】図７の撮像装置における主要構成ユニットの断面図である
【図９】本発明の第３の実施形態の撮像装置において、本発明に関わる主要構成ユニットを前面側から見た分解斜視図である
【図１０】図９の主要構成ユニットを背面側から見た分解斜視図である
【図１１】図９の主要構成ユニットの断面図である
【図１２】本発明の第４の実施形態の撮像装置において、本発明に関わる主要構成ユニットを前面側から見た分解斜視図である
【図１３】図１２の主要構成ユニットを背面側から見た分解斜視図である
【図１４】図１２の主要構成ユニットの断面図である
【発明を実施するための形態】
【００２０】
以下、図示の実施の形態によって本発明を説明する。◎
以下に説明する本発明の各実施形態は、本発明を適用する撮像装置として、例えば撮影光学系により結像された光学像を固体撮像素子等の光電変換素子等（以下、単に撮像素子等という）によって順次画像信号に変換し、これにより得られた画像信号を所定の形態の画像データとして記録媒体に記録し得ると共に、この記録媒体に記録された画像データを画像として再生表示する液晶表示装置（ＬＣＤ）等の画像表示装置を備えて構成されたデジタルカメラやビデオカメラ等の撮像装置（以下、これらを総称してカメラという）に適用した場合の各種の例示である。
【００２１】
なお、本実施形態においては、カメラの使用時に被写体に対向する面をカメラの前面というものとする。カメラの使用時に使用者が対面する面をカメラの背面というものとする。また、カメラの使用時に天空に対向する側の面を上面というものとする。そして、カメラの上面に対向する面を底面というものとする。さらに、カメラの通常の使用状態で両側に配置される面を左側面及び右側面というものとする。この場合における左右の判別は、被写体側からカメラの前面に向かって見たときの左側又は右側をそれぞれ左又は右として区別する。
【００２２】
また、各実施形態においては、撮影レンズユニットにおける撮影光学系（撮影レンズ）の光軸を符号Ｏで表す。そして、この光軸Ｏに沿う方向において、カメラの前面に対向する被写体のある側を前方というものとし、カメラの背面寄りの部位に配置される撮像素子のある側を後方というものとする。
【００２３】
なお、以下の説明に用いる各図面においては、各構成要素を図面上で認識可能な程度の大きさとするため、各構成要素毎に縮尺を異ならせて示している場合がある。したがって、本発明は、これらの図面に記載された構成要素の数量，構成要素の形状，構成要素の大きさの比率及び各構成要素の相対的な位置関係は、図示の形態のみに限定されるものではない。
【００２４】
［第１の実施形態］
図１〜図６は、本発明の第１の実施形態を示す図である。まず、本発明の第１の実施形態の撮像装置であるカメラ１の概略構成について図１を用いて以下に説明する。
【００２５】
本実施形態のカメラ１は、撮影レンズ交換式カメラであって、かつ内部に反射ミラー等を含むファインダー光学系を省略した形態のいわゆるミラーレスカメラである。この種のカメラは、撮影レンズユニット１２を透過して入射してくる被写体光束を、撮像ユニット１４の撮像素子へと直接導いて、当該撮像素子の出力信号に基いて生成される画像信号を表示装置へと出力し、その表示画像を観察用の画像として利用するように構成されているものである。
【００２６】
カメラ１は、内部に各種の構成ユニットを有するカメラ本体１１と、該カメラ本体１１の前面に装着される撮影レンズユニット１２とによって主に構成されている。
【００２７】
撮影レンズユニット１２は、複数の光学レンズ等からなる撮影レンズ１２ａのほか、図示を省略しているが、撮影レンズ１２ａを保持する複数の枠部材や、これら複数の枠部材を駆動させる駆動部材や駆動モータ等の構成部材を有して構成される。この撮影レンズユニット１２は、カメラ本体１１に対して着脱自在となるように、例えばバヨネット式等の着脱機構を有して構成されている。なお、撮影レンズユニット１２自体は、従来のレンズ交換式カメラ等において適用される一般的な構成のものが適用される。
【００２８】
カメラ本体１１の内部には各種の構成ユニットが設けられている。これら各種の構成ユニットのうち本発明に関わる構成ユニットは、シャッタユニット１３と、撮像ユニット１４と、加振ユニット１７等によって構成されるダストリダクションシステムユニット１０である。したがって、以下の説明及び図面においては、主にダストリダクションシステムユニット１０に関する詳細構成及び図示を説明するのみとし、カメラ本体１１のその他の構成ユニットについては、従来の撮像装置（カメラ）と同様のものが適用されるものとして、その説明及び図示は省略する。
【００２９】
次に、本実施形態のカメラ１におけるダストリダクションシステムユニット１０の詳細構成について、図１〜図６を用いて以下に説明する。
【００３０】
上述したように、本実施形態のカメラ１におけるダストリダクションシステムユニット１０は、シャッタユニット１３と、撮像ユニット１４と、加振ユニット１７等によって主に構成されている。
【００３１】
シャッタユニット１３は、駆動モータ及び駆動機構を介してシャッタ羽根を機械的に開閉駆動する機械式シャッタユニットである。また、当該シャッタユニット１３のシャッタ形式としては、撮像ユニット１４の前方でシャッタ羽根が撮影レンズ１２ａの光軸Ｏに直交する方向に開閉移動することによって、撮影レンズユニット１２を透過して入射する撮影光束の通過及び遮蔽を行うフォーカルプレーン方式のシャッタユニットである。なお、シャッタユニット１３自体の構造は、従来の撮像装置（カメラ）に適用されている一般的な構造のものが適用されるものとし、以下の説明では、本発明に関わる特徴的な構成について説明する。
【００３２】
本実施形態のカメラ１に適用されるシャッタユニット１３は、シャッタ台板１３ａと、シャッタ羽根１３ｂ等によって主に構成されている。
【００３３】
シャッタ台板１３ａは、当該シャッタユニット１３を構成する各種の構成部材が取り付けられ、本シャッタユニット１３の本体部を構成する部材である。このシャッタ台板１３ａには、例えばシャッタ羽根１３ｂのほか、図示を省略しているが、シャッタ駆動モータ，シャッタ駆動機構等の構成部品が含まれる。
【００３４】
シャッタ台板１３ａの略中央部には、本実施形態のカメラ１の前面に装着された撮影レンズユニット１２の撮影レンズ１２ａを透過してくる被写体からの光束（以下、単に被写体光束という）を通過させ得る略矩形状の開口１３ｃが形成されている。
【００３５】
シャッタ羽根１３ｂは、この開口１３ｃを所定のタイミングで（撮影動作に連動して）開閉するための部材である。シャッタ羽根１３ｂは、複数の薄板状部材を重ね合わせた形態で構成されている。なお、シャッタ羽根１３ｂ自体の構成やその開閉制御等の手段については、従来の撮像装置（カメラ）において利用される一般的なものが適用されるものとする。
【００３６】
シャッタユニット１３の前面側（被写体側）には、第１の光学部材としての保護部材１８が配置されている。そのために、シャッタユニット１３の前面側には、上記開口１３ｃの外周縁部を囲むように略矩形状の額縁部１３ｆが形成されている。
【００３７】
第１の光学部材である保護部材１８は、この額縁部１３ｆによって保持されている。この場合において、保護部材１８は、額縁部１３ｆに対して、例えば接着等の固定手段により固設されている。これによって、保護部材１８とシャッタユニット１３の額縁部１３ｆとの間の接合部は、密着状態が維持されるように構成されている。したがって、シャッタユニット１３の内部において、当該保護部材１８の後方側の面とシャッタ羽根１３ｂを介して、その後方に配置される加振ユニット１７の防塵部材１７ｂ（詳細は後述する）の前面との間には外部に対する密閉空間が形成されている。このような構成によって、第１の光学部材としての保護部材１８は、シャッタユニット１３の内部に塵埃等が侵入するのを抑止する役目をしている。
【００３８】
上記保護部材１８は、撮影レンズユニット１２を通過した被写体光束を通過させることができるように透明な光学部材によって形成されている。この保護部材１８としては、例えば単なる保護用の透明ガラス板若しくは透明樹脂板等の保護板部材のほか、光学ローパスフイルタ，赤外カットフイルタ，偏光フイルタ，光学レンズ等の光学作用を有する板状光学部材等を適用することが可能である。また、保護部材１８の表面または裏面の少なくとも一方には、帯電防止コート等の表面処理が施されている。
【００３９】
シャッタユニット１３の上記額縁部１３ｆの内縁部１３ｅには、これに沿って粘着部材１９が貼着されている。この粘着部材１９は、シャッタユニット１３内における上記密閉空間内で塵埃等が浮遊しないように吸着させる役目をする部材である。粘着部材１９は、表面に粘着性を有して形成される部材、例えば両面テープ等が適用される。本実施形態では、この両面テープを内縁部１３ｅの各辺に設けているが、これとは別に、例えば内縁部１３ｅに対して粘着性を有する部材を塗布するという形態でもよい。
【００４０】
シャッタユニット１３の後方には、撮像ユニット１４が配設されている。この撮像ユニット１４は、例えば裏面照射型ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ；相補型金属酸化膜半導体）や同型ＣＣＤ（Ｃｈａｒｇｅ  Ｃｏｕｐｌｅｄ  Ｄｅｖｉｃｅ；電荷結合素子）等の光電変換素子である固体撮像素子等（以下、これらを撮像素子と総称する）を有して構成される。
【００４１】
撮像ユニット１４には、上記撮像素子のほか、例えば撮像素子用ドライバや撮像素子の出力信号を処理しカメラ本体１１の内部制御回路や信号処理回路等へと伝達する各種の処理回路等を形成する電子回路部品等を含んで構成される。
【００４２】
撮像ユニット１４の撮像素子の受光面は、撮影レンズユニット１２を通過して入射して来る被写体光束を受光し得るように、カメラ１の前方に向けて配置されている。また、撮像素子の受光面の略中心位置が上記撮影レンズ１２ａの光軸Ｏと略一致するように、カメラ本体１１の内部の所定の位置において撮像素子は配置されている。
【００４３】
そして、撮像ユニット１４は、上記シャッタユニット１３の背面側の所定部位においてビス２０を用いてビス止め固定されている。そのために、シャッタユニット１３の背面側には、図３に示すように複数（本実施形態では三本）の取付ボス１３ｄが、光軸Ｏに沿う方向で背面に向けて突出するように植設されている。
【００４４】
なお、ここで、撮像ユニット１４がシャッタユニット１３に対してビス止め固定される状態とされるとき、両者の間には、前側から順に第１の弾性部材１５，加振ユニット１７，第２の弾性部材１６が挟持される形態で配設される。
【００４５】
第１の弾性部材１５は、シャッタユニット１３の開口１３ｃの形状に合わせて略同形状同サイズの矩形環状に形成されたゴム部材などの弾性を有する部材によって形成されている。この第１の弾性部材１５は、シャッタユニット１３の背面側に固定支持されている。そのために、シャッタユニット１３の背面側には、上記開口１３ｃの各辺に沿って外周縁部を囲むように形成された壁形状の支持部１３ｈが設けられている。そして、第１の弾性部材１５は、上記支持部１３ｈの外周を囲むように配置されている。第１の弾性部材１５は、この部位において接着等の手段によりシャッタユニット１３の背面に対して固定されている。尚、この第１の弾性部材１５は、壁形状の支持部１３ｈを設けずに、直接シャッタユニット１３の背面に接着しても良い。
【００４６】
シャッタユニット１３の後方には、上記第１の弾性部材１５を挟んで加振ユニット１７が配設されている。加振ユニット１７は、第２の光学部材としての防塵部材１７ｂと、加振用振動部材１７ａと、電気基板１７ｃ等によって構成される。
【００４７】
第２の光学部材である防塵部材１７ｂは、シャッタユニット１３の後方、即ち撮像ユニット１４の側に配置されていて、シャッタユニット１３へ塵埃等が侵入するのを防止する役目をする部材である。
【００４８】
そのために、防塵部材１７ｂは、その外周縁部近傍の所定の位置において、上記第１の弾性部材１５に密着するように配設される。防塵部材１７ｂは、上記保護部材１８と略同様に、撮影レンズユニット１２を通過した被写体光束を通過させることができるように透明な光学部材によって形成されている。そして、防塵部材１７ｂは、上記保護部材１８と同様に、例えば単なる保護用の透明ガラス板若しくは透明樹脂板等の保護用板状部材のほか、光学ローパスフイルタ，赤外カットフイルタ，偏光フイルタ，光学レンズ等の光学作用を有する板状光学部材等を適用することが可能である。また、防塵部材１７ｂの表面または裏面の少なくとも一方には、帯電防止コート等の表面処理が施されている。
【００４９】
このような構成により、シャッタユニット１３の内部においては、上述したように、加振ユニット１７の防塵部材１７ｂの前面とシャッタ羽根１３ｂを介して、その前方に配置される上記保護部材１８の後方側の面との間には、外部に対して密閉される密閉空間が形成される。
【００５０】
加振用振動部材１７ａは、防塵部材１７ｂを振動させる部材であって、該防塵部材１７ｂの外周縁部近傍の所定の部位、例えば防塵部材１７ｂにおいて被写体光束が透過する領域以外の位置、つまり当該被写体光束の透過を阻害しない部位に配設されている。ここで、図１等に示すように、本実施形態においては、加振用振動部材１７ａは、防塵部材１７ｂの外周縁（四辺）のうちの一辺に沿う部位に一つ設けた例を示している。なお、加振用振動部材１７ａの配設個数は、この例のように一つのみに限られることはなく、例えば、防塵部材１７ｂの外周縁（四辺）のうち対向する二辺のそれぞれに沿う部位に、各々設けるようにしてもよい。
【００５１】
加振用振動部材１７ａには、該加振用振動部材１７ａを駆動させるための電力を供給したり、本カメラ１の制御回路からの制御信号を送信する等のために、電気的な接続手段としての電気基板１７ｃが接続されている。この電気基板１７ｃは、例えばフレキシブルプリント基板等によって形成されている。なお、加振ユニット１７自体の構成については、既に従来一般に実用化されているものと同様のものが適用される。
【００５２】
そして、上述したように、シャッタユニット１３の背面と上記加振ユニット１７の防塵部材１７ｂとの間には、上記第１の弾性部材１５が挟持されている。この場合において、第１の弾性部材１５と防塵部材１７ｂの前面とが当接する部位は、被写体光束の透過を阻害しない部位であって、防塵部材１７ｂの外周縁部の近傍である。さらに、第１の弾性部材１５と防塵部材１７ｂの前面とが当接する部位のうち加振用振動部材１７ａが設けられている近傍（本実施形態では図５の符号Ｔで示す部位）においては、該加振用振動部材１７ａの配置されている位置よりも光軸Ｏ寄りの位置で第１の弾性部材１５が防塵部材１７ｂの前面に当接するように設定されている。換言すれば、加振用振動部材１７ａは、第１の弾性部材１５と防塵部材１７ｂの前面との当接部位よりも外縁側に配設されている。
【００５３】
したがって、加振ユニット１７は、加振用振動部材１７ａを駆動して防塵部材１７ｂを振動させることによって、例えばシャッタ羽根１３ｂ等から発生し、防塵部材１７ｂの前面に付着した塵埃等を払い落とすことができるようになっている。こうして、防塵部材１７ｂの表面から払い落とされた塵埃等は、シャッタユニット１３内における上記密閉空間内を浮遊することなく、上記粘着部材１９に吸着されるようになっている。
【００５４】
加振ユニット１７の後方には、第２の弾性部材１６が配設されている。この第２の弾性部材１６は、上記シャッタユニット１３の開口１３ｃの形状に合わせて略同形状同サイズの開口１６ｃを有して形成されている。第２の弾性部材１６は、上記第１の弾性部材１５と同様に、例えばゴム部材などの弾性を有する部材が適用される。この第２の弾性部材１６は、撮像ユニット１４の前面側に固定支持されている。この場合において、開口１６ｃは、撮像ユニット１４の撮像素子受光面よりも大きく設定されている。そして、第２の弾性部材１６が撮像ユニット１４に対して接着剤等によって固定された状態においては、第２の弾性部材１６が上記被写体光束を阻害することのないように、上記開口１６ｃは充分な開口面積を有するように形成されている。
【００５５】
そして、第２の弾性部材１６が前面に固定された撮像ユニット１４は、上述したように、上記加振ユニット１７を挟持した状態で、上記シャッタユニット１３の背面に対してビス止め固定されている。この場合において、加振ユニット１７の防塵部材１７ｂの背面と第２の弾性部材１６とが当接する部位は、上記第１の弾性部材１５と防塵部材１７ｂとが当接する部位に対して向かい合う位置（対向する位置；本実施形態では図５の符号Ｓで示す部位）となるように設定されている。
【００５６】
上述したように、シャッタユニット１３の背面側に固定される第１の弾性部材１５と撮像ユニット１４の前面側に固定される第２の弾性部材１６との間において加振ユニット１７の防塵部材１７ｂが挟持される形態で配置される。
【００５７】
この状態において、防塵部材１７ｂは、加振用振動部材１７ａの作用によって所定のタイミングで振動する。このとき防塵部材１７ｂは、第１及び第２の弾性部材１５，１６との当接部位を支点として振動することになる。この防塵部材１７ｂの振動によって、該防塵部材１７ｂは、自身の平面に沿う方向（光軸Ｏに直交する方向）へと移動する可能性がある。そこで、シャッタユニット１３の背面側には、加振用振動部材１７ａが駆動されて防塵部材１７ｂが振動して加振ユニット１７が平面移動したときに、その平面移動を規制するための複数の位置規制部１３ｇが形成されている。
【００５８】
この複数の位置規制部１３ｇは、加振ユニット１７が平面移動した時に、防塵部材１７ｂの外周縁が当接し得る位置、即ち開口１３ｃの四辺の外周縁部近傍において、光軸Ｏに沿う方向に突設されている。
【００５９】
以上の構成により、加振ユニット１７の防塵部材１７ｂの後方側の面と撮像ユニット１４の撮像素子受光面との間には、外部に対して密閉される密閉空間が形成されている。この場合において、撮像ユニット１４はシャッタユニット１３に対してビス止め固定されている。つまり、この状態で撮像ユニット１４はシャッタユニット１３に押圧固定されている。したがって、両者間に介在する第２弾性部材１６は、第１の弾性部材１５に向けて押圧固定されている。
【００６０】
なお、第１の弾性部材１５の弾性定数は、第２の弾性部材１６の弾性定数よりも大きな部材が適用されている。このことは、例えばシャッタ羽根１３ｂが防塵部材１７ｂに接触してしまうことを防止することを考慮した設定である。
【００６１】
また、第２の弾性部材１６は、防塵部材１７ｂと撮像ユニット１４の前面との間に介在することによって、シャッタ羽根１３ｂが駆動する際に生じる振動や、加振ユニット１７の振動等が撮像ユニット１４へと伝わるのを軽減させる役目もしている。
【００６２】
以上説明したように上記第１の実施形態によれば、シャッタユニット１３の前面側に保護部材１８を配置し、後方側に加振ユニット１７（防塵部材１７ｂ）を配置することで、シャッタユニット１３の内部に密閉空間を形成するように構成したので、外部からの塵埃等がシャッタユニット１３の内部に侵入することを抑止することができる。
【００６３】
これと同時に、シャッタ羽根１３ｂから生じて防塵部材１７ｂの表面に付着した塵埃等は、加振ユニット１７の作用によって払い落とすことができ、さらに加振ユニット１７によって払い落とされた塵埃等は、粘着部材１９によって吸着されるように構成している。これにより、シャッタユニット１３内部の密閉空間内における塵埃等がシャッタ羽根１３ｂ等の他の構造物若しくは撮像素子によって得られる画像に与える影響を除去することができる。
【００６４】
また、シャッタユニット１３の前面側に保護部材１８を配置したので、カメラ本体１１から撮影レンズユニット１２を取り外した状態としたときにも、シャッタ羽根１３ｂ等の内部機構が外部に露呈されるような状態にはならない。したがって、シャッタ羽根１３ｂ等の内部機構を保護することができる。これと同時に、保護部材１８の前面側の外表面に付着した塵埃等は、ブロワー若しくはクロス等を用いて容易に清掃することができる。
【００６５】
さらに、シャッタユニット１３の前面側の保護部材１８は、撮像素子の受光面からの遠い距離に配置されることになる。したがって、保護部材１８の前面側の外表面に塵埃等が付着した状態のまま撮影を行なった場合でも、それらの塵埃等が取得画像に及ぼす影響を軽微なものとすることができる。
【００６６】
本実施形態によれば、第１及び第２の弾性部材１５，１６によって加振ユニット１７を挟持するように配置し、この状態で第２の弾性部材１６を第１の弾性部材１５に押圧することで、加振ユニット１７を保持しながら、撮像ユニット１４の前面（撮像素子受光面）側密閉空間を確保し得る構成としている。したがって、従来の手段に比べて構成部材を削減し、より簡単な構成で加振ユニットを保持し、確実に防塵機能を実現することができる。これにより、ダストリダクションシステムユニット１０と、これを適用するカメラ１の小型化，軽量化，薄型化に寄与し得ると同時に、製造コストの低減化にも寄与することができる。
【００６７】
なお、本実施形態においては、粘着部材１９をシャッタユニット１３の内部において、シャッタ羽根１３ｂの前方部分に配設した例を示している。しかしながら、粘着部材１９の配置は、この例に限ることはなく、他の部位に粘着部材１９を配設してもよい。
【００６８】
例えば、上記の例に代えて若しくは加えて、シャッタユニット１３の内部においてシャッタ羽根１３ｂの後方部分の内面部（図１の符号１９ｘで示す部分）等に設けてもよい。さらに加えて、第２の弾性部材１６の内面部分（図１の符号１９ｚで示す部分）等に設けるようにしてもよい。
【００６９】
［第２の実施形態］
上述の第１の実施形態においては、本発明を適用する撮像装置として、撮影レンズ交換式のミラーレスカメラに適用した例を示している。
【００７０】
本発明の構成は、この種の形態の撮像装置に適用されるのみではなく、他の形態の撮像装置、例えば撮影レンズ交換式の一眼レフレックスカメラに対しても全く同様に適用することができる。次に、説明する本発明の第２の実施形態は、撮影レンズ交換式の一眼レフレックスカメラに適用した例である。本実施形態のカメラ１Ａの概略構成を、図７を用いて以下に説明する。
【００７１】
本実施形態のカメラ１Ａは、撮影レンズ交換式カメラであって、かつ内部に反射ミラー等を含むファインダー光学系を有する形態の一眼レフレックスカメラである。この種のカメラは、撮影レンズユニット１２を透過して入射してくる被写体光束を、反射ミラー２１を用いてファインダー光学系の側へと導いて、その観察像を観察する使用形態と、反射ミラー２１を光軸Ｏから退避させて上記被写体光束を、カメラ本体内の撮像ユニット１４の撮像素子へと導いて、当該撮像素子の出力信号に基いて生成される画像信号を記録する使用形態のほか、当該撮像素子の出力信号に基く画像信号を表示装置へと出力して、その表示画像を観察用の画像として利用する使用形態とすることもできるように構成されている。
【００７２】
カメラ１Ａは、内部に各種の構成ユニットを有するカメラ本体１１Ａと、該カメラ本体１１Ａの前面に装着される撮影レンズユニット１２とによって主に構成されている。
【００７３】
撮影レンズユニット１２は、カメラ本体１１に対して着脱自在に構成されている点において、上述の第１の実施形態と全く同様である。そして、撮影レンズユニット１２自体は、従来のレンズ交換式カメラ等において適用される一般的な構成のものが適用される。
【００７４】
カメラ本体１１Ａの内部には各種の構成ユニットが設けられている。これら各種の構成ユニットのうち、反射ミラー２１，サブミラー２２，フォーカシングスクリーン２３，ペンタゴナルダハプリズム２４，ファインダー接眼レンズ２５，ＡＦユニット２６等の構成部材が、一眼レフレックスカメラに特有の構成部材である。これらの構成部材自体は、従来の一般的な一眼レフレックスカメラに適用されるものと同様である。
【００７５】
一方、本実施形態のカメラ１Ａにおいて、本発明に関わる構成ユニットは、シャッタユニット１３と、撮像ユニット１４と、加振ユニット１７と、保護部材１８，第１の弾性部材１５，第２の弾性部材１６等によって構成されるダストリダクションシステムユニット１０である。このダストリダクションシステムユニット１０自体の構成は、上述の第１の実施形態のものと全く同様構成である。
【００７６】
なお、上述の第１の実施形態のカメラ１と異なる点として、次の点が挙げられる。即ち、本実施形態のカメラ１Ａにおいては、反射ミラー２１を光軸Ｏ上に置いた状態（図７に示す状態）が、ファインダー光学系を用いて被写体像を観察する使用形態である。
【００７７】
この状態においては、撮影レンズユニット１２の撮影レンズ１２ａを透過して光軸Ｏに沿ってカメラ本体１１Ａの内部に入射してきた被写体からの光束は、反射ミラー２１によって上方のファインダー光学系の側に向けて、その光軸が折り曲げられて光軸Ｏ１に沿って進む。また、カメラ本体１１Ａの内部に入射してきた被写体光束のうちの一部は、反射ミラー２１を透過して、その後方に配置されるサブミラー２２へと進み、このサブミラー２２によって、その光軸が折り曲げられて光軸Ｏ２に沿って下方のＡＦユニット２６の側へと進むようになっている。
【００７８】
なお、この状態においてシャッタユニット１３のシャッタ羽根１３ｂは、開口１３ｃを遮蔽する閉状態となっている。この点において本実施形態のカメラ１Ａは、上述の第１の実施形態のカメラ１に比べて異なる。
【００７９】
以上のように構成される上記第２の実施形態のカメラ１Ａにおいても、上述の第１の実施形態と全く同様の効果を得ることができる。
【００８０】
［第３の実施形態］
次に、本発明の第３の実施形態について、図９，図１０，図１１を用いて以下に説明する。
【００８１】
本実施形態の構成は、上述の第１の実施形態と基本的には略同様の構成からなるものである。簡略に言えば、本実施形態は、上述の第１の実施形態における（第１の光学部材としての）保護部材１８と、（第２の光学部材を含む）加振ユニット１７の配置を入れ換えた形態として構成した点が異なる。その他の構成は、上述の第１の実施形態と同様であり、以下の説明においては、第１の実施形態と異なる点についてのみ詳述する。なお、図９〜図１１においては、本実施形態のダストリダクションシステムユニットのみを図示し、カメラの全体構成及びその他の構成部材の図示は省略している。
【００８２】
本実施形態のカメラにおけるダストリダクションシステムユニット１０Ａは、図９〜図１１に示すように、前面側から順に、加振ユニット１７Ａ，第３の弾性部材２７，シャッタユニット１３Ａ，保護部材１８Ａ，第２の弾性部材１６Ａ，撮像ユニット１４等によって構成されている。
【００８３】
本実施形態においては、シャッタユニット１３Ａの前面側に加振ユニット１７Ａが配置されている。加振ユニット１７Ａは、加振用振動部材１７ａと、防塵部材１７ｂとによって構成され、その基本的な構成については上述の第１の実施形態と同様である。
【００８４】
本実施形態における加振ユニット１７Ａは、シャッタユニット１３Ａの前面側に対してビス３０を用いてビス止め固定されている。この場合において、ビス３０と防塵部材１７ｂとの間に、弾性を有する板状部材３１が介在している。この板状部材３１は、防塵部材１７ｂの外周縁部近傍（例えば該防塵部材１７ｂの四隅部近傍）を、光軸Ｏに沿う方向においてシャッタユニット１３Ａの前面に向けて押圧している。これと同時に、上記板状部材３１は、加振ユニット１７Ａが駆動された場合の防塵部材１７ｂの光軸Ｏに直交する方向への平面移動を規制する役目もしている。
【００８５】
本実施形態においては、加振ユニット１７Ａとシャッタユニット１３Ａとの間に、第３の弾性部材２７が挟持されている。この第３の弾性部材２７は、上述の第１の実施形態における第１の弾性部材１５と同様に、シャッタユニット１３Ａの開口１３ｃの形状に合わせて略同形状同サイズの矩形環状に形成されたゴム部材等の弾性を有する部材によって形成されている。この第３の弾性部材２７は、上述の第１の実施形態とは異なり、シャッタユニット１３Ａの前面側に固定支持されている。そのために、シャッタユニット１３Ａの前面側には、上記開口１３ｃの各辺に沿って外周縁部を囲むように形成された壁形状の支持部１３ｈが設けられている。そして、第３の弾性部材２７は、上記支持部１３ｈの外周を囲むように配置されている。第３の弾性部材２７は、この部位において接着等の手段によりシャッタユニット１３Ａの前面に対して固定されている。即ち、上記第１の実施形態においては、第１の弾性部材１５，加振ユニット１７がシャッタユニット１３の背面側に配置される構成に対し、本実施形態においては、第３の弾性部材２７，加振ユニット１７Ａがシャッタユニット１３Ａの前面側に配置される構成である点において異なる。
【００８６】
そして、上述したように、第３の弾性部材２７は、シャッタユニット１３Ａの前面と加振ユニット１７Ａとの間に挟持されており、上記加振ユニット１７Ａは、板状部材３１の作用によりシャッタユニット１３Ａの前面に向けて押圧されている。したがって、防塵部材１７ｂは、第３の弾性部材２７に向けて常に押圧された状態になっており、加振ユニット１７Ａが駆動されて防塵部材１７ｂが振動したとしても、第３の弾性部材２７と防塵部材１７ｂとの間の密着状態は常に維持されるようになっている。これにより、シャッタユニット１３Ａの内部において、防塵部材１７ｂの後方側の面とシャッタ羽根１３ｂを介して、その後方に配置される保護部材１８Ａ（詳細は後述する）の前面との間には外部に対する密閉空間が形成されている。
【００８７】
一方、本実施形態においては、シャッタユニット１３Ａの背面側に、シャッタユニット１３Ａの開口１３ｃの外周縁部を囲むように略矩形状の額縁部１３ｆが形成されている。この額縁部１３ｆには、第２の光学部材としての保護部材１８Ａが固定保持されている。この保護部材１８Ａが額縁部１３ｆに固定保持される構成は、上述の第１の実施形態における保護部材１８と額縁部１３ｆとの構成と同様である。ただし、第１の実施形態では、シャッタユニット１３の前面側の構成である点が異なる。
【００８８】
保護部材１８Ａは、額縁部１３ｆに対して、例えば接着等の固定手段により固設されている。これによって、保護部材１８Ａとシャッタユニット１３の額縁部１３ｆとの間の接合部は、密着状態が維持されるように構成されている。したがって、シャッタユニット１３Ａの内部において、当該保護部材１８Ａの前面とシャッタ羽根１３ｂを介して、その前方に配置される加振ユニット１７Ａの防塵部材１７ｂ（詳細は後述する）の背面との間には外部に対する密閉空間が形成されている。このような構成によって、第２の光学部材としての保護部材１８Ａは、シャッタユニット１３の内部に塵埃等が侵入するのを抑止する役目をしている。なお、保護部材１８Ａは、上述の第１の実施形態の保護部材１８と同様の素材，形態によって形成されている。
【００８９】
シャッタユニット１３の額縁部１３ｆの内縁部１３ｅには、これに沿って粘着部材１９が貼着されている。この粘着部材１９についても、上述の第１の実施形態の粘着部材１９と同じ素材，形態のものが適用される。これにより、シャッタユニット１３内の上記密閉空間内において、塵埃等が浮遊しないように構成されている。
【００９０】
シャッタユニット１３の後方には、第２の弾性部材１６Ａを介して撮像ユニット１４が配設されている。この撮像ユニット１４自体の構成は、上述の第１の実施形態と同様である。
【００９１】
撮像ユニット１４は、シャッタユニット１３の背面側から光軸Ｏに沿う方向で背面に向けて突出するように形成される複数（本実施形態では三本）の取付ボス１３ｄ（図１０参照）に対してビス２０によってビス止め固定されている。
【００９２】
第２の弾性部材１６Ａは、シャッタユニット１３Ａの開口１３ｃの形状に合わせて略同形状同サイズの開口を有し、全体が矩形環状に形成されたゴム部材等の弾性を有する部材からなる。そして、第２の弾性部材１６Ａは、シャッタユニット１３Ａの額縁部１３ｆに固定支持されている。そのために、第２の弾性部材１６Ａは、額縁部１３ｆの内周縁部の内周面１３ｆｂと接する外周面１６ｄ及び保護部材１８Ａの後面と接する外周縁部１８Ａaとからなる前面周縁部１６ａと、額縁部１３ｆの背面縁部１３ｆａに当接配置されるフランジ状部１６ｂとを有して形成されている。
【００９３】
そこで、第２の弾性部材１６Ａは、図１１に示すように、シャッタユニット１３Ａに対し額縁部１３ｆの内周縁部及び背面縁部１３ｆａに対して当接した状態で接着等の手段により固定されている。したがって、第２の弾性部材１６Ａは、その前面周縁部１６ａの先端縁部が保護部材１８Ａの外周縁部１８Ａａに全周にわたって当接し密着しており、前面周縁部１６ａの外周面１６ｄが額縁部１３ｆの内周面１３ｆｂに全周にわたって当接し密着しており、フランジ状部１６ｂが額縁部１３ｆの背面縁部１３ｆａに全周にわたって当接し密着している。そして、第２の弾性部材１６Ａの背面側の外周縁部は、撮像ユニット１４の外周縁部に対して接着等の手段により接着固定されている。
【００９４】
このような構成により、シャッタユニット１３Ａの背面側においては、第２の光学部材である保護部材１８Ａの背面と、撮像ユニット１４の前面との間には密閉空間が形成され、第２の弾性部材１６Ａが当該密閉空間の内部に塵埃等が侵入するのを抑止している。したがって、撮像ユニット１４の撮像素子受光面は常にクリーンな状態が保たれる。
【００９５】
なお、上記第３の実施形態においては、防塵部材１７ｂは、シャッタユニット１３の前面側（被写体側）に配置され、シャッタユニット１３Ａ内へ塵埃等が侵入するのを防止する役目をしている。したがって、本実施形態において第１の光学部材は防塵部材１７ｂが相当する。
【００９６】
一方、上記第３の実施形態においては、保護部材１８Ａは、シャッタユニット１３Ａの後方、即ち撮像ユニット１４の側に配置され、シャッタユニット１３Ａへ塵埃等が侵入するのを防止する役目をしている。したがって、本実施形態において第２の光学部材は保護部材１８Ａが相当する。
【００９７】
以上説明したように上記第３の実施形態によれば、上述の第１の実施形態と同様の効果を得ることができる。
【００９８】
［第４の実施形態］
次に、本発明の第４の実施形態について、図１２，図１３，図１４を用いて以下に説明する。
【００９９】
本実施形態の構成は、上述の第１の実施形態の構成の一部と上述の第３の実施形態の構成の一部とを合わせて構成したものである。簡略に言えば、本実施形態は、上述の第１の実施形態におけるシャッタユニット１３の後方側の構成（加振ユニット，撮像ユニット）と、上述の第３の実施形態におけるシャッタユニット１３Ａの前方側の構成（加振ユニット）とを合わせてダストリダクションシステムユニットを構成している。
【０１００】
即ち、本実施形態は、上述の第１の実施形態における第１の光学部材としての保護部材１８に代えて、上述の第３の実施形態における（第１の光学部材を含む）加振ユニット１７Ａを配置した点のみが異なる。
【０１０１】
換言すれば、本実施形態のカメラにおけるダストリダクションシステムユニットは、シャッタユニット１３Ｂを挟んで、その前後に加振ユニット（１７Ａ，１７）を設けた形態としている。その他の構成は、上述の第１の実施形態と同様である。なお、図１２〜図１４においては、本実施形態のダストリダクションシステムユニットのみを図示し、カメラの全体構成及びその他の構成部材の図示は省略している。
【０１０２】
本実施形態のカメラにおけるダストリダクションシステムユニット１０Ｂは、図１２〜図１４に示すように、前面側から順に、第１加振ユニット１７Ａ，第３の弾性部材２７，シャッタユニット１３Ｂ，第１の弾性部材１５，第２加振ユニット１７，第２の弾性部材１６，撮像ユニット１４等によって構成されている。
【０１０３】
シャッタユニット１３Ｂの前面側には、上述の第３の実施形態における加振ユニット１７Ａと全く同様の構成からなる第１加振ユニット１７Ａが第３の弾性部材２７を介して同様の手段で取り付けられている。
【０１０４】
一方、シャッタユニット１３Ｂの背面側には、上述の第１の実施形態における加振ユニット１７と全く同様の構成からなる第２加振ユニット１７が第１の弾性部材１５を介して同様の手段で取り付けられ、さらにその後方に、第２の弾性部材１６を介して撮像ユニット１４が同様の手段で取り付けられている。その他の構成は、上述の第１の実施形態と略同様である。
【０１０５】
なお、上記第４の実施形態においては、第１加振ユニット１７Ａの防塵部材１７ｂは、シャッタユニット１３の前面側（被写体側）に配置され、シャッタユニット１３Ｂ内へ塵埃等が侵入するのを防止する役目をしている。したがって、本実施形態において第１の光学部材は第１加振ユニット１７Ａの防塵部材１７ｂが相当する。
【０１０６】
一方、上記第４の実施形態においては、第２加振ユニット１７の防塵部材１７ｂは、シャッタユニット１３Ｂの後方、即ち撮像ユニット１４の側に配置され、シャッタユニット１３Ｂへ塵埃等が侵入するのを防止する役目をしている。したがって、本実施形態において第２の光学部材は第２加振ユニット１７の防塵部材１７ｂが相当する。
【０１０７】
以上説明したように上記第４の実施形態によれば、上述の第１の実施形態と同様の効果を得ることができる。これに加えて、本実施形態においては、シャッタユニット１３Ｂを挟んで、その前後にそれぞれ第１及び第２加振ユニット１７Ａ，１７を設けたので、より効果的に塵埃等を除去することができる。
【０１０８】
なお、上述の各実施形態においては、第１の光学部材，第２の光学部材を略矩形状に形成し、これに合わせて、シャッタユニットの開口，第１及び第２の弾性部材等の形状も、略矩形状に形成して構成した場合の例を示しているが、これらの構成部材の形状は、上記各実施形態の例示に限られることはない。例えば、円形状若しくは多角形状等の他の異なる形状によって、第１及び第２の光学部材等を形成するようにしても、本発明を構成することができ、異なる形状で構成した場合にも、上述の各実施形態と全く同様の効果を得ることができる。
【０１０９】
本発明は上述した実施形態に限定されるものではなく、発明の主旨を逸脱しない範囲内において種々の変形や応用を実施し得ることが可能であることは勿論である。さらに、上記実施形態には、種々の段階の発明が含まれており、開示される複数の構成要件における適宜な組み合わせによって、種々の発明が抽出され得る。例えば、上記一実施形態に示される全構成要件から幾つかの構成要件が削除されても、発明が解決しようとする課題が解決でき、発明の効果が得られる場合には、この構成要件が削除された構成が発明として抽出され得る。
【産業上の利用可能性】
【０１１０】
本発明は、デジタルカメラ等の撮影機能に特化した電子機器である撮像装置に限られることはなく、撮影機能を備えた他の形態の電子機器、例えば携帯電話，録音機器，電子手帳，パーソナルコンピュータ，ゲーム機器，テレビ，時計，ＧＰＳ（Global Positioning System）を利用したナビゲーション機器等、各種の撮影機能付き電子機器にも適用することができる。さらに、本発明におけるダストリダクションシステムユニットは、例えば透過型液晶表示装置等を用いて画像を投影する投影型画像表示装置等に適用することも可能である。
【符号の説明】
【０１１１】
１，１Ａ        カメラ
１０，１０Ａ，１０Ｂ    ダストリダクションシステムユニット
１１，１１Ａ    カメラ本体
１２    撮影レンズユニット
１２ａ  撮影レンズ
１３，１３Ａ，１３Ｂ    シャッタユニット
１３ａ  シャッタ台板
１３ｂ  シャッタ羽根
１３ｃ  開口
１３ｄ  取付ボス
１３ｅ  内縁部
１３ｆ  額縁部
１３ｆａ        背面縁部
１３ｆｂ        内周面
１３ｇ  位置規制部
１３ｈ  支持部
１４    撮像ユニット
１５    第１の弾性部材
１６，１６Ａ    第２の弾性部材
１６ａ  前面周縁部
１６ｂ  フランジ状部
１６ｃ  開口
１６ｄ  外周面
１７，１７Ａ    加振ユニット
１７ａ  加振用振動部材
１７ｂ  防塵部材
１７ｃ  電気基板
１８，１８Ａ    保護部材
１８Ａａ        外周縁部
１９    粘着部材
２７    第３の弾性部材
３０    ビス
３１    板状部材
【図１】
2012050016.tif 000003
【図２】
2012050016.tif 000004
【図３】
2012050016.tif 000005
【図４】
2012050016.tif 000006
【図５】
2012050016.tif 000007
【図６】
2012050016.tif 000008
【図７】
2012050016.tif 000009
【図８】
2012050016.tif 000010
【図９】
2012050016.tif 000011
【図１０】
2012050016.tif 000012
【図１１】
2012050016.tif 000013
【図１２】
2012050016.tif 000014
【図１３】
2012050016.tif 000015
【図１４】
2012050016.tif 000016